(57)【特許請求の範囲】
【請求項１】
増幅器及びスピーカを有する本体と、中央に窓部が形成された枠体及びこの枠体に装着されて前記窓部に張られる可撓性シートを有する蓋体とを有する防水ケースにおいて、
前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電池収納部を設けると共に、前記本体の防水領域に凹部を形成し、この凹部に電気的な接続手段を設け、前記凹部を塞ぐ蓋部材を設けたことを特徴とする防水ケース。
【請求項２】
前記蓋部材が、透光性を有する前記可撓性シートを通して前記窓部から視覚的に露出する部位のほぼ全体を覆うように、前記本体に取り付けられることを特徴とする請求項１記載の防水ケース。
【請求項３】
前記蓋部材が前記電池収納部を塞ぐことを特徴とする請求項２記載の防水ケース。
【請求項４】
前記電池収納部が、前記枠体によって覆われることを特徴とする請求項１又は２記載の防水ケース。
【発明の詳細な説明】
【技術分野】
【０００１】
本発明は、風呂場や海など、水がかかる虞のある環境で携帯型音響機器を使用するための防水ケースに関するものである。
【背景技術】
【０００２】
従来、この種の防水ケースとしては、スピーカを有する防水収納ケースに防水加工した扉を設け、防水収納ケースと扉で囲まれる収納部に携帯用カセットデッキ等を収容することができるようにしたものが知られている（例えば、特許文献１参照。）。また、本体部と蓋体を有し、この蓋体の切り抜き部に柔軟なウレタン膜を装着し、本体部の開口部に機器を入れて蓋体を閉じることで、ウレタン膜を介して機器を外部から操作可能な状態で水密に収納することができるものも知られている（例えば、特許文献２参照。）。
【特許文献１】実開平６−５２５３８号公報
【特許文献２】特開２０００−１２５９１６号公報
【発明の開示】
【発明が解決しようとする課題】
【０００３】
しかしながら、前者のような防水ケースにおいては、収納部に携帯型音響機器を収納した状態で操作する手段及びスピーカを駆動するための電源について記載されていない。このため、このような防水ケースを実施する場合、携帯型音響機器を収納部に収納した状態で操作することができないということも考えられる。一方、後者のような防水ケースでは、前記ウレタン膜を介して携帯用音響機器を外部から操作することが可能であるが、イヤホンで聴くことが前提の携帯用音響機器の場合、このような防水ケースだけでは音楽を聴くことができないという問題がある。
【０００４】
そこで、後者の構造を前者の防水ケースに適用することで、防水された状態で携帯型音響機器を操作することが可能となる。しかしながら、このような防水ケースでは、携帯型音響機器自体の増幅器を用いて前記スピーカを駆動すると、イヤホンで聴くことが前提で出力が小さい携帯用音響機器の場合、あまり大きな音が出せないので、防水ケースのスピーカを駆動するための電源が別途必要になる。この場合、乾電池や蓄電池（以下、単に電池と記載する）を用いることが一般的である。しかしながら、このような電池を収容する電池収容部を設けると、携帯型音響機器のための防水構造の他に、電池のための防水構造を設ける必要があるので、コストアップに繋がるばかりでなく、防水ケース内への水の侵入による防水ケース及び携帯用音響機器の故障の可能性が高くなるという問題があった。
【０００５】
本発明は以上の問題点を解決し、安価で且つ水侵入による故障の可能性を低く抑えることができる防水ケースを提供することを目的とする。
【課題を解決するための手段】
【０００６】
本発明の請求項１に記載の防水ケースは、増幅器及びスピーカを有する本体と、中央に窓部が形成された枠体及びこの枠体に装着されて前記窓部に張られる可撓性シートを有する蓋体とを有する防水ケースにおいて、前記本体に環状の防水リブを設け、前記可撓性シートの周縁部にシール部を設け、前記蓋体を閉じて前記防水リブとシール部とを密接させることによって水密となる、前記本体の防水リブよりも内側の防水領域に電池収納部を設けると共に、前記本体の防水領域に凹部を形成し、この凹部に電気的な接続手段を設け、前記凹部を塞ぐ蓋部材を設けたものである。
【０００７】
また、本発明の請求項２に記載の防水ケースは、請求項１において、前記蓋部材が、透光性を有する前記可撓性シートを通して前記窓部から視覚的に露出する部位のほぼ全体を覆うように、前記本体に取り付けられるものである。
【０００８】
また、本発明の請求項３に記載の防水ケースは、請求項２において、前記蓋部材が前記電池収納部を塞ぐものである。
【０００９】
更に、本発明の請求項４に記載の防水ケースは、請求項１又は２において、前記電池収納部が、前記枠体によって覆われるものである。
【発明の効果】
【００１０】
本発明の請求項１に記載の防水ケースは、以上のように構成することにより、前記蓋体を閉じて前記防水リブとシール部とを密接させることによって水密となる前記本体の防水領域に前記電池収納部が設けられるので、この電池収納部のための防水構造を個別に設ける必要がなく、従って、コストダウンを図ることができるばかりでなく、開閉可能な防水構造部が減ることで、水侵入による故障の可能性を低く抑えることができる。また、不使用時において電気的な前記接続手段を前記凹部に収容し、前記蓋部材によって前記接続手段を覆うことで、外観上見苦しくないようにすることができる。
【００１１】
また、透光性を有する前記可撓性シートを通して前記窓部から視覚的に露出する部位のほぼ全体が単一の前記蓋部材で覆われるので、視覚的に露出する部品間の継ぎ目を少なくすることができ、外観上見苦しくないようにすることができる。
【００１２】
また、前記蓋部材が、前記電池収納部ごと前記接続手段を覆うことで、外観上見苦しくないようにすることができるばかりでなく、前記接続手段を覆うための蓋部材と前記電池収納部のための蓋部材を個別に設ける必要がなくなるので、部品点数を減らしてコストダウンを図ることができる。
【００１３】
更に、前記電池収納部が前記枠体によって隠されるので、視覚的に露出する部品間の継ぎ目を少なくすることができ、外観上見苦しくないようにすることができる。
【発明を実施するための最良の形態】
【００１４】
以下、本発明の第一の実施形態について、図１〜図６及び図１１に基づいて説明する。１は防水ケースである。この防水ケース１は、本体２と、この本体２に対して開閉可能に枢支された蓋体３とを有して構成されている。
【００１５】
前記本体２は、外殻体４と、内殻体５とを有して構成されている。前記外殻体４の下部には切欠部６が形成されており、この切欠部６において前記蓋体３が枢支されている。また、前記外殻体の上部及び左右側部にも切欠部７，８，９が形成されており、これらの切欠部７，８，９において、前記蓋体３を閉じた状態で保持するためのバックル１０，１１，１２が枢支されている。また、前記外殻体４と内殻体５との間には、図示しない増幅器が設けられていると共に、前記外殻体４の後部には、音量調節摘み１３が設けられている。なお、前記外殻体４と音量調節摘み１３との間は、前記本体２内に水が侵入しないように防水構造となっている。また、前記外殻体４の後部には、図示しない防水構造のスピーカーが左右対称に一対設けられていると共に、このスピーカーが発する音を反射するための音響反射板１４が、前記外殻体４に摺動可能に取り付けられている。更に、前記外殻体４の内周縁近傍には、環状の防水リブ１５が前方に突出して形成されており、前記蓋体３を閉じた際に、後述する可撓性シート３４のシール部３４Ａが前記防水リブ１５に密接することで、図３に示すように、この防水リブ１５よりも内側が防水領域Ａ（グレー部分）となる。そして、前記内殻体５が前記防水リブ１５の内側に取り付けられているので、前記内殻体５は前記防水領域Ａに配置されていることになる。
【００１６】
前記内殻体５には、前記蓋体３の後述する窓部３２とほぼ同形状で且つ外縁が窓部３２よりもやや大きな凹部１６が形成されている。そして、この凹部１６の外周部には段部１７が形成されていると共に、前記凹部１６の外周部から内側に向かって突出した左右一対のリブ１８が形成されている。また、前記内殻体５の凹部１６の下部中央には電池収納部１９が形成されており、この電池収納部１９に電池Ｂが収納可能に構成されている。なお、この電池収納部１９の前端縁は、前記段部１７と面一に形成されている。また、前記凹部１６のほぼ中央には貫通孔２０が形成されており、この貫通孔２０からケーブル２１が引き出されている。なお、このケーブル２１の先端には接続端子２２が取り付けられていると共に、前記ケーブル２１の基端は、前記本体２内の図示しない増幅器等に電気的に接続されている。また、前記凹部１６には、不使用時に前記接続端子２２を収納するための収納凹部２３が形成されている。また、前記凹部１６には、後述する蓋部材２８を前記凹部１６に取り付けるための係止凹部２４，２５が形成されていると共に、蓋部材２８を取り外す際に使用者が指を入れるための小凹部２６が形成されている。更に、前記凹部１６には、通電状態を表示するための発光ダイオード等の表示素子２７が設けられている。
【００１７】
更に、前記凹部１６には、蓋部材２８が着脱自在に取り付けられている。この蓋部材２８は、前記小凹部２６及び表示素子２７を除く前記凹部１６のほぼ全体を閉塞するように形成されている。なお、この蓋部材２８の厚さは、前記内殻体５の基準面Ｆ１と前記段部１７との段差とほぼ等しく形成されている。一方、前記凹部１６の底面Ｆ２と前記段部１７との段差は、前記ケーブル２１の太さ以上に形成されている。このため、前記蓋部材２８と内殻体５は、前記蓋部材２８を前記凹部１６に取り付けた状態で、前記蓋部材２８が前記段部１７に当接することで、前記蓋部材２８と前記内殻体５の基準面Ｆ１がほぼ面一となるように構成されている。なお、この際、前記電池収納部１９は前記蓋部材２８によって覆われることになる。また、前記蓋部材２８には、前記リブ１８に対応して切欠溝部２９が形成されていると共に、この切欠溝部２９の奥端に、この切欠溝部２９の幅よりも径大な円状部３０が前記切欠溝部２９と連続して形成されている。なお、前記切欠溝部２９及び円状部３０は、前記ケーブル２１の太さ以上の幅及び直径を有しており、これによって、前記ケーブル２１を前記円状部３０に通すことができるようになっている。また、前記蓋部材２８には、前記表示素子２７に対応して貫通孔３１が形成されている。
【００１８】
前記蓋体３は、窓部３２が形成された枠体３３と、この枠体３３に取り付けられると共に前記窓部３２を塞ぐように張られる可撓性シート３４とを有して構成されている。前記蓋体３の枠体３３の下部は、前述したように、前記外殻体４の切欠部６において枢支されている。また、前記枠体３３の上部には、前記バックル１０に対応してバックル受部３５が形成されていると共に、前記枠体３３の左右側部にも、前記バックル１１，１２に対応して図示しないバックル受部が形成されている。また、前記窓部３２は、前述したように、前記蓋部材２８とほぼ同形状で且つ内縁が前記蓋部材２８の外縁よりもやや小さく形成されている。従って、図４に示すように、前記可撓性シート３４を通して前記窓部３２から視覚的に露出する部位Ｖ（グレー部分）には、前記蓋部材２８の他は、前記リブ１８及び表示素子２７を除く前記内殻体５が殆ど露出せず、従って、前記蓋部材２８と内殻体５との部品間の継ぎ目が前記部位Ｖに殆ど現れない。また、前記可撓性シート３４は、シリコンゴム等、透光性、防水性、可撓性及び適度な弾性を有する材質で形成されている。また、前記可撓性シート３４は、前記枠体３３に対して着脱自在に取り付けられている。更に、前記可撓性シート３４周縁部には、前記蓋体３を閉じた際に前記防水リブ１５に密接するシール部３４Ａが設けられている。
【００１９】
次に、本実施形態の作用について説明する。まず、使用者は携帯型音響機器Ｐを用意する。なお、この音響機器Ｐは、前記窓部３２よりも充分小さくなければならない。そして、使用者は前記枠体３３の上部に形成されたバックル受部３５と前記バックル１０との係合を解くと共に、前記枠体３３の左右側部に形成された図示しないバックル受部と前記バックル１１，１２との係合を解いた後、前記蓋体３を開いて前記防水領域Ａを露出させ、更に、前記蓋部材２８を前記内殻体５の凹部１６から取り外す。なお、この状態において、前記電池収納部１９が露出しているので、電池Ｂの交換が必要な場合は、この段階で交換する。そして、前記接続端子２２を前記収納凹部２３から取り外し、前記ケーブル２１を前記蓋部材２８に形成された左右何れかの切欠溝部２９を介して前記円状部３０に通す。そして、このように前記ケーブル２１が前記円状部３０に通された状態の前記蓋部材２８を、再び前記内殻体５の凹部１６に取り付ける。この際、前記切欠溝部２９が前記リブ１８によって塞がれるので、前記ケーブル２１は前記蓋部材２８の外縁よりも内側で前記蓋部材２８の後方から前方に引き出されることになる。更に、前記携帯型音響機器Ｐの図示しない出力端子に前記接続端子２２を接続し、前記携帯型音響機器Ｐを前記防水領域Ａに配置した後、前記蓋体３を閉じて、前記枠体３３の上部に形成されたバックル受部３５と前記バックル１０とを係合させ、前記枠体３３の左右側部に形成された図示しないバックル受部と前記バックル１１，１２とを係合させる。この状態において、前記可撓性シート３４のシール部３４Ａと前記防水リブ１５とが密接することで、前記防水リブ１５よりも内側の防水領域Ａが前記可撓性シート３４によって密閉される。このため、前記携帯型音響機器Ｐが収納された防水領域Ａへ水が侵入することが防止される。また、前記可撓性シート３４は弾性変形し、前記携帯型音響機器Ｐの表面に密着する。
【００２０】
なお、前述したように、前記電池収納部１９が防水領域Ａに形成されると共に、前記窓部３２から視覚的に露出する部位Ｖと同じか、部位Ｖよりもやや大きく形成された前記蓋部材２８によって前記凹部１６ごと覆われているので、前記電池収納部１９のための防水構造が特に必要なく、従ってコストダウンを図ることができると共に、前記電池収納部１９を覆う前記蓋部材２８の外縁が、前記可撓性シート３４を通して前記窓部３２から視覚的に露出する部位Ｖの外にあるので、この部位Ｖには、前記蓋部材２８の他は、前記リブ１８及び表示素子２７を除く前記内殻体５が殆ど露出せず、従って、前記蓋部材２８と内殻体５との部品間の継ぎ目が前記部位Ｖに殆ど現れない。また、前記ケーブル２１が前記蓋部材２８の外縁よりも内側で前記蓋部材２８の後方から前方に引き出されるので、前記ケーブル２１の引き出し位置と前記枠体３３の内縁とが充分に離間することになる。これによって、前記枠体３３の内縁近傍で前記可撓性シート３４が局所的に大きなストレスが加わって大きく伸びるということが防止されるので、前記可撓性シート３４が前記枠体３３の内縁近傍で破損しにくくすることができる。
【００２１】
そして、前記音響反射板１４を摺動させて引き出し、前記音量調節摘み１３を操作して任意の音量に設定した後、前記可撓性シート３４を介して前記携帯型音響機器Ｐの図示しない操作部を操作する。この際、前記携帯型音響機器Ｐの図示しない操作部が押しボタン型のスイッチであった場合、前記可撓性シート３４を介して押しボタン型スイッチを押すことで、前記操作部を操作可能である。また、前記操作部がスライド式のスイッチや回転型のスイッチであった場合、前記可撓性シート３４の上から前記シート３４の面に沿って指を動かすことでスイッチをスライドさせたり、前記シート３４ごとスイッチを摘んでスイッチを回転させたりして操作することが可能である。このように前記携帯型音響機器Ｐの図示しない操作部を前記可撓性シート３４を介して操作することで、前記携帯型音響機器Ｐの音声信号が図示しない出力端子から前記接続端子２２、ケーブル２１を経て図示しない増幅器に送られ、この増幅器によって増幅され、図示しない防水スピーカで音声に変換され、前記音響反射板１４によって前方に放音される。
【００２２】
以上のように、本発明の防水ケース１は、中央に窓部３２が形成された枠体３３及びこの枠体３３に装着されて前記窓部３２に張られる可撓性シート３４を有する蓋体３を、増幅器及び防水スピーカを有する本体２に対して枢支すると共に、前記蓋体３を閉じることで前記本体２の防水リブ１５と前記可撓性シート３４のシール部３４Ａが密接することによって水密となる前記本体２の防水領域Ａに電池収納部１９を設けたことで、この電池収納部１９のための防水構造を前記本体２と蓋体３の防水構造と共通化することができ、従って、コストダウンを図ることができるばかりでなく、開閉可能な防水構造部が減ることで、水侵入による前記本体２又は携帯型音響機器Ｐの故障の可能性を低く抑えることができるものである。
【００２３】
また、本発明の防水ケース１は、前記本体２の防水領域Ａに凹部１６を形成し、この凹部１６に電気的な接続手段としてのケーブル２１及び接続端子２２を設けると共に、蓋部材２８によって前記電池収納部１９及び凹部１６を塞ぐことで、不使用時において前記ケーブル２１及び接続端子２２を前記凹部１６に収容し、前記蓋部材２８によって前記電池収納部１９ごと前記ケーブル２１及び接続端子２２を覆うことで、外観上見苦しくないようにすることができるばかりでなく、前記ケーブル２１及び接続端子２２を覆うための蓋部材と前記電池収納部１９のための蓋部材を個別に設ける必要がなく、単一の蓋部材２８のみを設ければよいので、部品点数を減らしてコストダウンを図ることができるものである。
【００２４】
更に、本発明の防水ケース１は、前記蓋部材２８が、透光性を有する前記可撓性シート３４を通して前記窓部３２から視覚的に露出する部位Ｖのほぼ全体を覆うように、前記本体２に取り付けられることで、前記部位Ｖのほぼ全体が単一の前記蓋部材２８で覆われるので、視覚的に露出する部品間の継ぎ目を少なくすることができ、外観上見苦しくないようにすることができるものである。
【００２５】
次に、本発明の第二の実施形態について、図７乃至図１１に基づいて説明する。なお、上記第一の実施形態と共通する部分については、共通の符号を付し、その説明を省略する。４１は防水ケースである。この防水ケース４１は、本体４２と、この本体４２に対して開閉可能に枢支された蓋体４３とを有して構成されている。
【００２６】
前記本体４２は、外殻体４と、内殻体４４とを有して構成されている。前記外殻体４の下部には切欠部６が形成されており、この切欠部６において前記蓋体４３が枢支されている。また、前記外殻体の上部及び左右側部にも切欠部７，８，９が形成されており、これらの切欠部７，８，９において、前記蓋体４３を閉じた状態で保持するためのバックル１０，１１，１２が枢支されている。また、前記外殻体４と内殻体４４との間には、図示しない増幅器が設けられていると共に、前記外殻体４の後部には、音量調節摘み１３が設けられている。更に、前記外殻体４の内周縁近傍には、環状の防水リブ１５が前方に突出して形成されており、前記蓋体４３を閉じた際に、後述する可撓性シート３４のシール部３４Ａが前記防水リブ１５に密接することで、図８に示すように、この防水リブ１５よりも内側が防水領域Ａ´（グレー部分）となる。そして、前記内殻体４４が前記防水リブ１５の内側に取り付けられているので、前記内殻体４４は前記防水領域Ａ´に配置されていることになる。
【００２７】
前記内殻体４４には、前記蓋体４３の後述する窓部６２とほぼ同形状で且つ外縁が窓部６２よりもやや大きな凹部４５が形成されている。そして、この凹部４５の外周部には段部４６が形成されていると共に、前記凹部４５の外周部から内側に向かって突出した左右一対のリブ４７が形成されている。また、前記内殻体４４の下部中央には電池収納部４８が形成されており、この電池収納部４８に電池Ｂが収納可能に構成されている。なお、この電池収納部４８は、前記凹部４５とは独立して設けられている。また、前記凹部４５のほぼ中央には貫通孔４９が形成されており、この貫通孔４９からケーブル２１が引き出されている。なお、このケーブル２１の先端には接続端子２２が取り付けられていると共に、前記ケーブル２１の基端は、前記本体４２内の図示しない増幅器等に電気的に接続されている。また、前記凹部４５には、不使用時に前記接続端子２２を収納するための収納凹部５０が形成されている。また、前記凹部４５には、後述する蓋部材５８を前記凹部４５に取り付けるための係止凹部５１，５２が形成されていると共に、蓋部材５８を取り外す際に使用者が指を入れるための小凹部５３が形成されている。また、前記電池収納部４８には、電池蓋５４を取り付けるための係止凹部５５，５６が形成されていると共に、電池蓋５４を取り外す際に使用者が指を入れるための小凹部５７が形成されている。更に、前記凹部４５には、通電状態を表示するための発光ダイオード等の表示素子２７が設けられている。
【００２８】
更に、前記凹部４５には、蓋部材５８が着脱自在に取り付けられている。この蓋部材５８は、前記小凹部５３及び表示素子２７を除く前記凹部４５のほぼ全体を閉塞するように形成されている。なお、この蓋部材５８の厚さは、前記内殻体４４の基準面Ｆ１´と前記段部４６との段差とほぼ等しく形成されている。一方、前記凹部４５の底面Ｆ２´と前記段部４６との段差は、前記ケーブル２１の太さ以上に形成されている。このため、前記蓋部材５８と内殻体４４は、前記蓋部材５８を前記凹部４５に取り付けた状態で、前記蓋部材５８が前記段部４６に当接することで、前記蓋部材５８と前記内殻体４４の基準面Ｆ１  ´がほぼ面一となるように構成されている。また、前記蓋部材５８には、前記リブ４７に対応して切欠溝部５９が形成されていると共に、この切欠溝部５９の奥端に、この切欠溝部５９の幅よりも径大な円状部６０が前記切欠溝部５９と連続して形成されている。なお、前記切欠溝部５９及び円状部６０は、前記ケーブル２１の太さ以上の幅及び直径を有しており、これによって、前記ケーブル２１を前記円状部６０に通すことができるようになっている。また、前記蓋部材５８には、前記表示素子２７に対応して貫通孔６１が形成されている。
【００２９】
前記蓋体４３は、窓部６２が形成された枠体６３と、この枠体６３に取り付けられると共に前記窓部６２を塞ぐように張られる可撓性シート３４とを有して構成されている。前記蓋体４３の枠体６３の下部は、前述したように、前記外殻体４の切欠部６において枢支されている。また、前記枠体６３の上部には、前記バックル１０に対応してバックル受部６４が形成されていると共に、前記枠体６３の左右側部にも、前記バックル１１，１２に対応して図示しないバックル受部が形成されている。また、前記窓部６２は、前述したように、前記蓋部材５８とほぼ同形状で且つ内縁が前記蓋部材５８の外縁よりもやや小さく形成されている。従って、図９に示すように、前記可撓性シート３４を通して前記窓部６２から視覚的に露出する部位Ｖ´（グレー部分）には、前記蓋部材５８の他は、前記リブ４７及び表示素子２７を除く前記内殻体４４が殆ど露出せず、従って、前記蓋部材５８と内殻体４４との部品間の継ぎ目が前記部位Ｖ´に殆ど現れない。また、前記枠体６３のうち、下枠部６３Ａは前記電池収納部４８及び電池蓋５４を隠すことができるのに充分な太さを有している。また、前記可撓性シート３４は、前記枠体６３に対して着脱自在に取り付けられている。更に、前記可撓性シート３４周縁部には、前記蓋体４３を閉じた際に前記防水リブ１５に密接するシール部３４Ａが設けられている。
【００３０】
次に、本実施形態の作用について説明する。まず、使用者は携帯型音響機器Ｐを用意する。なお、この音響機器Ｐは、前記窓部６２よりも充分小さくなければならない。そして、使用者は前記枠体６３の上部に形成されたバックル受部６４と前記バックル１０との係合を解くと共に、前記枠体６３の左右側部に形成された図示しないバックル受部と前記バックル１１，１２との係合を解いた後、前記蓋体４３を開いて前記防水領域Ａ´を露出させる。なお、この状態において、前記電池蓋５４が露出しているので、電池Ｂの交換が必要な場合は、この段階で前記電池収納部４８から前記電池蓋５４を取り外し、電池Ｂを交換した後、再び前記電池蓋５４を電池収納部４８に取り付ける。そして、前記蓋部材５８を前記内殻体４４の凹部４５から取り外し、前記接続端子２２を前記収納凹部５０から取り外し、前記ケーブル２１を前記蓋部材５８に形成された左右何れかの切欠溝部５９を介して前記円状部６０に通す。そして、このように前記ケーブル２１が前記円状部６０に通された状態の前記蓋部材５８を、再び前記内殻体４４の凹部４５に取り付ける。この際、前記切欠溝部５９が前記リブ４７によって塞がれるので、前記ケーブル２１は前記蓋部材５８の外縁よりも内側で前記蓋部材５８の後方から前方に引き出されることになる。更に、前記携帯型音響機器Ｐの図示しない出力端子に前記接続端子２２を接続し、前記携帯型音響機器Ｐを前記防水領域Ａ´に配置した後、前記蓋体４３を閉じて、前記枠体６３の上部に形成されたバックル受部６４と前記バックル１０とを係合させ、前記枠体６３の左右側部に形成された図示しないバックル受部と前記バックル１１，１２とを係合させる。この状態において、前記可撓性シート３４のシール部３４Ａと前記防水リブ１５とが密接することで、前記防水リブ１５よりも内側の防水領域Ａ´が前記可撓性シート３４によって密閉される。このため、前記携帯型音響機器Ｐが収納された防水領域Ａ´へ水が侵入することが防止される。
【００３１】
なお、前述したように、前記電池収納部４８が防水領域Ａ´に形成されると共に、前記窓部６２から視覚的に露出する部位Ｖ´から外れた位置で前記枠体６３の下枠部６３Ａによって隠されるので、前記電池収納部４８のための防水構造が特に必要なく、従ってコストダウンを図ることができると共に、前記蓋部材５８の外縁及び前記電池蓋５４が、前記可撓性シート３４を通して前記窓部６２から視覚的に露出する部位Ｖ´の外にあるので、この部位Ｖ´には、前記蓋部材５８の他は、前記リブ４７及び表示素子２７を除く前記内殻体４４が殆ど露出せず、従って、前記蓋部材５８と内殻体４４との部品間の継ぎ目が前記部位Ｖ´に殆ど現れない。また、前記ケーブル２１が前記蓋部材５８の外縁よりも内側で前記蓋部材５８の後方から前方に引き出されるので、前記ケーブル２１の引き出し位置と前記枠体６３の内縁とが充分に離間することになる。これによって、前記枠体６３の内縁近傍で前記可撓性シート３４が局所的に大きなストレスが加わって大きく伸びるということが防止されるので、前記可撓性シート３４が前記枠体６３の内縁近傍で破損しにくくすることができる。
【００３２】
以上のように、本発明の防水ケース４１は、中央に窓部６２が形成された枠体６３及びこの枠体６３に装着されて前記窓部６２に張られる可撓性シート３４を有する蓋体４３を、増幅器及び防水スピーカを有する本体４２に対して枢支すると共に、前記蓋体４３を閉じることで前記本体４２の防水リブ１５と前記可撓性シート３４のシール部３４Ａが密接することによって水密となる前記本体４２の防水領域Ａ´に電池収納部４８を設けたことで、この電池収納部４８のための防水構造を前記本体４２と蓋体４３の防水構造と共通化することができ、従って、コストダウンを図ることができるばかりでなく、開閉可能な防水構造部が減ることで、水侵入による前記本体４２又は携帯型音響機器Ｐの故障の可能性を低く抑えることができるものである。また、前記本体４２の防水領域Ａ´に凹部４５を形成し、この凹部４５に電気的な接続手段としてのケーブル２１及び接続端子２２を設けると共に、蓋部材５８によって前記凹部４５を塞ぐことで、不使用時において前記ケーブル２１及び接続端子２２を前記凹部４５に収容し、前記蓋部材５８によって前記ケーブル２１及び接続端子２２を覆うことで、外観上見苦しくないようにすることができる。
【００３３】
また、本発明の防水ケース４１は、前記電池収納部４８が、前記枠体６３の下枠部６３Ａによって覆われて隠されるので、視覚的に露出する部品間の継ぎ目を少なくすることができ、外観上見苦しくないようにすることができるものである。
【００３４】
なお、本発明は以上の実施形態に限定されるものではなく、発明の要旨の範囲内で種々の変形実施が可能である。例えば、上記第二の実施形態では、電池収納部を枠体の下部に設けた下枠部で覆うように構成したが、前記枠体の左右を太く形成し、この左右枠部で電池収納部を覆うように構成してもよい。また、上記各実施形態では、前記蓋部材が前記窓部から視覚的に露出する部位よりも大きく形成されているが、前記蓋部材と内殻体の継ぎ目が前記窓部の近傍で目立たなければ、前記蓋部材が前記窓部から視覚的に露出する部位よりも僅かに小さくてもよい。
【図面の簡単な説明】
【００３５】
【図１】本発明の第一の実施形態を示す防水ケースの正面図である。
【図２】本発明の第一の実施形態を示す防水ケースの右側面図である。
【図３】本発明の第一の実施形態を示す、蓋体を開いた状態における防水ケースの防水領域Ａを示した正面図である。
【図４】本発明の第一の実施形態を示す、蓋体を開いた状態における防水ケースの視覚的に露出する部位Ｖを示した正面図である。
【図５】本発明の第一の実施形態を示す、蓋体を開き蓋部材を取り外した状態における防水ケースの正面図である。
【図６】本発明の第一の実施形態を示す、使用状態における防水ケースの正面図である。
【図７】本発明の第二の実施形態を示す防水ケースの正面図である。
【図８】本発明の第二の実施形態を示す、蓋体を開いた状態における防水ケースの正面図である。
【図９】本発明の第二の実施形態を示す、蓋体を開いた状態における防水ケースの視覚的に露出する部位Ｖを示した正面図である。
【図１０】本発明の第二の実施形態を示す、蓋体を開き蓋部材及び電池蓋を取り外した状態における防水ケースの正面図である。
【図１１】本発明の各実施形態における可撓性シートであり、（ａ）は正面図、（ｂ）はＸ−Ｘ断面図である。
【符号の説明】
【００３６】
１，４１  防水ケース
２，４２  本体
３，４３  蓋体
１５  防水リブ
１６，４５  凹部
１９，４８  電池収納部
２１  ケーブル（電気的な接続手段）
２２  接続端子（電気的な接続手段）
２８，５８  蓋部材
３２，６２  窓部
３３，６３  枠体
３４  可撓性シート
３４Ａ  シール部
Ａ，Ａ´  防水領域
Ｂ  電池
Ｖ，Ｖ´  窓部から視覚的に露出する部位
【図１】
0004471957.tif 000002
【図２】
0004471957.tif 000003
【図３】
0004471957.tif 000004
【図４】
0004471957.tif 000005
【図５】
0004471957.tif 000006
【図６】
0004471957.tif 000007
【図７】
0004471957.tif 000008
【図８】
0004471957.tif 000009
【図９】
0004471957.tif 000010
【図１０】
0004471957.tif 000011
【図１１】
0004471957.tif 000012